(57)【特許請求の範囲】
【請求項１】
非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、
前記同期非同期変換器は、前記同期ＰＰＰ装置からのＬＣＰ設定応答を常に監視し、前記ＬＣＰ設定応答に含まれるＡＣＣＭ値を前記ＡＣＣＭ記憶部に保存し、ＬＣＰ確立後の前記同期ＰＰＰ装置からのデータに対して前記ＡＣＣＭ記憶部に保存したＡＣＣＭ値を用いて制御コードのエスケープ処理を行うことを特徴とするデータ通信装置。
【請求項２】
非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、
前記同期非同期変換器は、前記非同期ＰＰＰ装置からのＬＣＰ設定要求をＬＣＰ確立までの期間のみ監視し、前記ＬＣＰ設定要求に含まれるＡＣＣＭ値を前記ＡＣＣＭ記憶部に保存し、ＬＣＰ確立後の前記同期ＰＰＰ装置からのデータに対して前記ＡＣＣＭ記憶部に保存したＡＣＣＭ値を用いて制御コードのエスケープ処理を行うことを特徴とするデータ通信装置。
【請求項３】
非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、
前記同期非同期変換器は、前記同期ＰＰＰ装置からのＬＣＰ設定応答をＬＣＰ確立までの期間のみ監視し、前記ＬＣＰ設定応答に含まれるＡＣＣＭ値を前記ＡＣＣＭ記憶部に保存し、ＬＣＰ確立後の前記同期ＰＰＰ装置からのデータに対して前記ＡＣＣＭ記憶部に保存したＡＣＣＭ値を用いて制御コードのエスケープ処理を行うことを特徴とするデータ通信装置。
【請求項４】
非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、
前記同期非同期変換器は、前記非同期ＰＰＰ装置からのＬＣＰ設定要求の監視を最初の受信までのみ行い、前記最初に受信したＬＣＰ設定要求に含まれるＡＣＣＭ値を前記ＡＣＣＭ記憶部に保存し、ＬＣＰ確立後の前記同期ＰＰＰ装置からのデータに対して前記ＡＣＣＭ記憶部に保存したＡＣＣＭ値を用いて制御コードのエスケープ処理を行うことを特徴とするデータ通信装置。
【発明の詳細な説明】
【０００１】
【発明の属する技術分野】
本発明は、非同期型通信装置と同期型通信装置との間に位置し、ポイント・ツー・ポイント・プロトコル（ＰＰＰ：Ｐｏｉｎｔ−ｔｏ−Ｐｏｉｎｔ・Ｐｒｏｔｏｃｏｌ）の同期・非同期変換を行うデータ通信装置に関するものである。
【０００２】
【従来の技術】
パーソナルコンピュータ等の情報端末から電話網等のシリアル通信設備を通じインターネットサービスプロバイダ等に接続する場合、シリアル回線上にて様々な種類の上位プロトコルを伝送可能なＰＰＰプロトコルによるカプセル化が行われる。それらの接続形態の一例としては、パーソナルコンピュータから非同期シリアル回線を通じてＩＳＤＮターミナルアダプタに接続し、ＩＳＤＮターミナルアダプタからはＩＳＤＮ回線を通じてインターネットサービスプロバイダの提供する同期ＰＰＰ接続サービスを利用するという形態となる。このとき非同期シリアル回線上では非同期ＰＰＰが、ＩＳＤＮ回線上では同期ＰＰＰが使用される。その大きな違いのひとつは非同期ＰＰＰでは１オクテットの値が１６進数２０Ｈ以下の制御コードを２オクテットのエスケープシーケンスに変換することである。ここで、実際には、制御コードのエスケープは０ｘ２０以下のすべてのデータに対して行われるわけではなく、相互に受信側ＰＰＰ装置の要求に従って必要なもののみ行われる。この要求の双方での交渉はＰＰＰ確立段階のＬＣＰ（Ｌｉｎｋ  Ｃｏｎｔｏｒｏｌ  Ｐｒｏｔｏｃｏｌ）にて行われ、要求側はＬＣＰ設定要求（ＬＣＰ  Ｃｏｎｆｉｇｕｒｅ  Ｒｅｑｕｅｓｔ）パケット内に制御コードのエスケープ必要性の有無をマップ化したＡＣＣＭ値を含めて送信し、相手側では、受信したＬＣＰ設定要求を許容するのであれば、ＬＣＰ設定応答（ＬＣＰ  Ｃｏｎｆｉｇｕｒｅ  ＡＣＫ）パケットを返送する。双方にてＬＣＰ設定応答パケットを送信しあえばＬＣＰは終了し、その後の通信ではＬＣＰにて交渉されたＡＣＣＭ値に従って制御コードのエスケーピング（エスケープ処理）を行ったデータを送信する。ところが制御コードのエスケーピングは本来非同期ＰＰＰ上でのみ必要な処理であるため、ある種の同期ＰＰＰ装置では、ＬＣＰでのＡＣＣＭ交渉に合意しながらも、実際の通信段階では制御コードのエスケーピングを行わずにデータ送信を行うため、受信側の非同期ＰＰＰ装置では０ｘ２０以下のデータが制御コードかアプリケーションデータかの区別が着かずに正しくデータ受信が行われないという事態が発生する。
【０００３】
このように、同期ＰＰＰ装置がＬＣＰ交渉で合意したＡＣＣＭ値に従わずにデータ送信を行う場合、エスケープ処理は同期非同期変換を行う中継装置の役目となり、同期非同期変換を行う装置（すなわちデータ通信装置）は本来介在する必要のない同期ＰＰＰ装置と非同期ＰＰＰ装置との間のＬＣＰ交渉を監視し、エスケープ処理のために必要なＡＣＣＭ値を把握しておく必要がある。
【０００４】
【発明が解決しようとする課題】
このように、同期ＰＰＰ装置と非同期ＰＰＰ装置との中継を行うデータ通信装置では、同期ＰＰＰ装置と非同期ＰＰＰ装置との間のＬＣＰ交渉を監視し、エスケープ処理のために必要なＡＣＣＭ値を把握する機能を備えていないと、同期ＰＰＰ装置と非同期ＰＰＰ装置との間でのデータ通信が可能にならないという問題点を有していた。
【０００５】
このデータ通信装置は、同期ＰＰＰ装置と非同期ＰＰＰ装置との間のＬＣＰ交渉を監視し、非同期ＰＰＰ装置宛方向でのエスケープ処理のために必要なＡＣＣＭ値を把握し、実際の通信段階では非同期ＰＰＰ装置宛方向でのエスケープ処理を含めた同期非同期変換処理を行うことにより、非同期ＰＰＰ装置と同期ＰＰＰ装置との間でのデータ通信を可能とすることが要求されている。
【０００６】
本発明は、この要求を満たすため、非同期ＰＰＰ装置と同期ＰＰＰ装置との間でのデータ通信を可能とするデータ通信装置を提供することを目的とする。
【０００７】
この課題を解決するために本発明のデータ通信装置は、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、同期ＰＰＰ装置からのＬＣＰ設定応答を常に監視し、ＬＣＰ設定応答に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行う構成を備えている。
【０００８】
これにより、非同期ＰＰＰ装置と同期ＰＰＰ装置との間でのデータ通信を可能とするデータ通信装置が得られる。
【００１１】
請求項１に記載のデータ通信装置は、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、同期ＰＰＰ装置からのＬＣＰ設定応答を常に監視し、ＬＣＰ設定応答に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うこととしたものである。
【００１２】
この構成により、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、請求項１の発明に比べ、実際に同期ＰＰＰ装置が合意したＡＣＣＭ値のみを監視すればよいという作用を有する。
【００１３】
請求項２に記載のデータ通信装置は、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、非同期ＰＰＰ装置からのＬＣＰ設定要求をＬＣＰ確立までの期間のみ監視し、ＬＣＰ設定要求に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うこととしたものである。
【００１４】
この構成により、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、またＬＣＰ確立後のＬＣＰ設定要求の監視処理の負担が不要であるという作用を有する。
【００１５】
請求項３に記載のデータ通信装置は、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、同期ＰＰＰ装置からのＬＣＰ設定応答をＬＣＰ確立までの期間のみ監視し、ＬＣＰ設定応答に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うこととしたものである。
【００１６】
この構成により、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、ＬＣＰ確立後のＬＣＰ設定要求の監視処理の負担が不要であるという作用を有する。
【００１７】
請求項４に記載のデータ通信装置は、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、非同期ＰＰＰ装置からのＬＣＰ設定要求の監視を最初の受信までのみ行い、最初に受信したＬＣＰ設定要求に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うこととしたものである。
【００１８】
この構成により、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、ＡＣＣＭ記憶部へのＡＣＣＭ保存後のＬＣＰ設定要求の監視処理の負担が不要になるという作用を有する。
【００２１】
以下、本発明の実施の形態について、図１を用いて説明する。
【００２２】
（実施の形態１）
図１は、本発明の実施の形態１によるデータ通信装置を示すブロック図である。
【００２３】
図１において、１はデータ通信装置、２はパーソナルコンピュータ等の非同期ＰＰＰ装置、３はアクセスサーバ等の同期ＰＰＰ装置である。データ通信装置１は、非同期ＰＰＰデータの送受信処理を行う非同期インタフェース部１１と、同期ＰＰＰデータの送受信処理を行う同期インタフェース部１２と、ＰＰＰ同期非同期変換処理を行う同期非同期変換器１３と、制御コードエスケープに関するＡＣＣＭ値を記憶しておくＡＣＣＭ記憶部１４とから構成され、直接または間接的に非同期回線を通じて非同期ＰＰＰ装置２と接続され、また、直接または間接的に同期回線を通じて同期ＰＰＰ装置３と接続される。本実施の形態での同期ＰＰＰ装置３は、ＡＣＣＭ交渉に関しては非同期側の要求をそのまま肯定するが、実際のデータ通信時には制御コードのエスケープを行わずに非同期ＰＰＰ装置２方向へデータ送信するものとする。
【００２４】
このように構成されたデータ通信装置について、その動作を説明する。
【００２５】
非同期回線および同期回線の双方において回線接続が確立すると、非同期ＰＰＰ装置２および同期ＰＰＰ装置３はそれぞれ、ＬＣＰ設定要求を相手へ送信し、ＬＣＰ交渉を開始する。非同期ＰＰＰ装置２が同期ＰＰＰ装置３へ向けて送信するＬＣＰ設定要求には、非同期ＰＰＰ装置２が同期ＰＰＰ装置３に対してデータ送信時に行って欲しい制御コードのエスケープに関するＡＣＣＭ値が含まれ、同期ＰＰＰ装置３が非同期ＰＰＰ装置２へ向けて送信するＬＣＰ設定要求には、同期ＰＰＰ装置３が非同期ＰＰＰ装置２に対してデータ送信時に行って欲しい制御コードのエスケープに関するＡＣＣＭ値が含まれており、データ通信装置１の同期非同期変換器１３は、このうち非同期ＰＰＰ装置２が同期ＰＰＰ装置３へ向けて送信するＬＣＰ設定要求を監視し、ＬＣＰ設定要求に含まれるＡＣＣＭ値をＡＣＣＭ記憶部１４に保存しておく。この監視処理はＬＣＰ確立前後に関わらず常に行われる。ＬＣＰ交渉が終了すると、ＰＰＰの認証やＮＣＰ（ＮｅｔｗｏｒｋＣｏｎｔｒｏｌ  Ｐｒｏｔｏｃｏｌ）に関するパケットのやり取り、さらには続いてアプリケーションデータに関するパケットのやり取りが非同期ＰＰＰ装置２と同期ＰＰＰ装置３との間で行われる。同期ＰＰＰ装置３から非同期ＰＰＰ装置２方向へのパケットは、データ通信装置１の同期インタフェース部１２において受信され、同期非同期変換器１３へ送られる。同期非同期変換器１３は、受信パケットがＬＣＰパケットかそれ以外かをチェックする。ＬＣＰパケットであれば、ＰＰＰ規格にのっとりすべての制御コードを２オクテットにエスケープして非同期インタフェース部１１を通じ非同期ＰＰＰ装置２へ送信する。ＬＣＰ以外のパケットであればＡＣＣＭ記憶部１４に保存されているＡＣＣＭ値を参照し、必要なだけ制御コードを２オクテットにエスケープして非同期インタフェース部１１を通じ非同期ＰＰＰ装置２へ送信する。
【００２６】
以上の様に本実施の形態では、同期非同期変換器１３は、非同期ＰＰＰ装置２からのＬＣＰ設定要求を常に監視し、ＬＣＰ設定要求に含まれるＡＣＣＭ値をＡＣＣＭ記憶部１４に保存しておき、ＬＣＰ確立後の同期ＰＰＰ装置３からのデータに対してＡＣＣＭ記憶部１４に保存したＡＣＣＭ値を用いて制御コードのエスケープ処理を行うことにより、非同期ＰＰＰ装置２と同期ＰＰＰ装置３間でのデータ通信を可能とする。
【００２７】
（実施の形態２）
本発明の実施の形態２によるデータ通信装置の構成は図１と同様の構成であり、その説明は省略する。実施の形態１と同様に、ＬＣＰ交渉が開始されると、データ通信装置１の同期非同期変換器１３は、同期ＰＰＰ装置３が非同期ＰＰＰ装置２へ向けて送信するＬＣＰ設定応答を監視し、ＬＣＰ設定応答に含まれるＡＣＣＭ値をＡＣＣＭ記憶部１４に保存しておく。この監視処理はＬＣＰ確立前後に関わらず常に行われる。実施の形態１では常にＬＣＰ設定要求を監視することで非同期ＰＰＰ装置２が要求するＡＣＣＭ最新値をＡＣＣＭ記憶部１４へその都度保存していたが、本実施の形態ではＬＣＰ設定応答を監視することで、非同期ＰＰＰ装置２が要求するＡＣＣＭ値のうち同期ＰＰＰ装置３によって合意されたもののみＡＣＣＭ記憶部１４へ保存することとなる。ＬＣＰ確立後は、実施の形態１と同様に、同期非同期変換器１３において制御コードのエスケープ処理が行われる。
【００２８】
以上の様に本実施の形態では、同期非同期変換器１３は、同期ＰＰＰ装置３からのＬＣＰ設定応答を常に監視し、ＬＣＰ設定応答に含まれるＡＣＣＭ値をＡＣＣＭ記憶部１４に保存しておき、ＬＣＰ確立後の同期ＰＰＰ装置３からのデータに対してＡＣＣＭ記憶部１４に保存したＡＣＣＭ値を用いて制御コードのエスケープ処理を行うことにより、非同期ＰＰＰ装置２と同期ＰＰＰ装置３との間でのデータ通信を可能とする。
【００２９】
（実施の形態３）
本発明の実施の形態３によるデータ通信装置の構成は図１と同様の構成であり、その説明は省略する。本実施の形態では、同期非同期変換器１３はＡＣＣＭ監視中と通信中の２つの内部状態を持ち、初期状態はＡＣＣＭ監視中とする。実施の形態１と同様に、ＬＣＰ交渉が開始されると、データ通信装置１の同期非同期変換器１３は、非同期ＰＰＰ装置２が同期ＰＰＰ装置３へ向けて送信するＬＣＰ設定要求を監視し、ＬＣＰ設定要求に含まれるＡＣＣＭ値をＡＣＣＭ記憶部１４に保存しておく。この監視処理はＬＣＰ確立までのみ行われ、一旦ＬＣＰが確立すると、同期非同期変換器１３の内部状態を通信中とし、その後は監視処理は行われない。ＬＣＰ確立は両方向のＬＣＰ設定応答の検出で把握する。実施の形態１では、常にＬＣＰ設定要求を監視することで、非同期ＰＰＰ装置２が要求するＡＣＣＭ最新値をＡＣＣＭ記憶部１４へその都度保存していたが、本実施の形態では、ＬＣＰ確立までの監視のみで実質十分との判断から、ＬＣＰ確立までのみＬＣＰ設定要求を監視することで、ＬＣＰ確立後のＬＣＰ設定要求監視処理の負担を不要とする。ＬＣＰ確立後は実施の形態１と同様に同期非同期変換器１３において制御コードのエスケープ処理が行われる。
【００３０】
以上の様に本実施の形態では、同期非同期変換器１３は、非同期ＰＰＰ装置２からのＬＣＰ設定要求をＬＣＰ確立までの期間のみ監視し、ＬＣＰ設定要求に含まれるＡＣＣＭ値をＡＣＣＭ記憶部１４に保存しておき、ＬＣＰ確立後の同期ＰＰＰ装置３からのデータに対してＡＣＣＭ記憶部１４に保存したＡＣＣＭ値を用いて制御コードのエスケープ処理を行うことにより、非同期ＰＰＰ装置２と同期ＰＰＰ装置３との間でのデータ通信を可能とする。また、ＬＣＰ確立までのみＬＣＰ設定要求を監視することで、ＬＣＰ確立後のＬＣＰ設定要求監視処理の負担を不要とする。
【００３１】
（実施の形態４）
本発明の実施の形態４によるデータ通信装置の構成は図１と同様の構成であり、その説明は省略する。本実施の形態では同期非同期変換器１３は、ＡＣＣＭ監視中と通信中の２つの内部状態を持ち、初期状態はＡＣＣＭ監視中とする。実施の形態１と同様に、ＬＣＰ交渉が開始されると、データ通信装置１の同期非同期変換器１３は、同期ＰＰＰ装置３が非同期ＰＰＰ装置２へ向けて送信するＬＣＰ設定応答を監視し、ＬＣＰ設定応答に含まれるＡＣＣＭ値をＡＣＣＭ記憶部１４に保存しておく。この監視処理はＬＣＰ確立までのみ行われ、一旦ＬＣＰが確立すると、同期非同期変換器１３の内部状態を通信中とし、その後は監視処理は行われない。ＬＣＰ確立は両方向のＬＣＰ設定応答の検出で把握する。実施の形態２では、常にＬＣＰ設定応答を監視することで、非同期ＰＰＰ装置２と同期ＰＰＰ装置３との間で合意された最新のＡＣＣＭ値をＡＣＣＭ記憶部１４へ保存していたが、本実施の形態では、ＬＣＰ確立までの監視のみで実質十分との判断から、ＬＣＰ確立までのみＬＣＰ設定応答を監視することで、ＬＣＰ確立後のＬＣＰ設定応答監視処理の負担を不要とする。ＬＣＰ確立後は実施の形態１と同様に同期非同期変換器１３において制御コードのエスケープ処理が行われる。
【００３２】
以上の様に本実施の形態では、同期非同期変換器１３は、同期ＰＰＰ装置３からのＬＣＰ設定応答をＬＣＰ確立までの期間のみ監視し、ＬＣＰ設定応答に含まれるＡＣＣＭ値をＡＣＣＭ記憶部１４に保存しておき、ＬＣＰ確立後の同期ＰＰＰ装置３からのデータに対してＡＣＣＭ記憶部１４に保存したＡＣＣＭ値を用いて制御コードのエスケープ処理を行うことにより、非同期ＰＰＰ装置２と同期ＰＰＰ装置３との間でのデータ通信を可能とする。また、ＬＣＰ確立までのみＬＣＰ設定応答を監視することで、ＬＣＰ確立後のＬＣＰ設定応答監視処理の負担を不要とする。
【００３３】
（実施の形態５）
本発明の実施の形態５によるデータ通信装置の構成は図１と同様の構成であり、その説明は省略する。本実施の形態では、同期非同期変換器１３は、ＡＣＣＭ監視を行うか行わないかの内部フラグを持ち、初期状態はオンで監視を行うとする。実施の形態１と同様に、ＬＣＰ交渉が開始されると、データ通信装置１の同期非同期変換器１３は、非同期ＰＰＰ装置２が同期ＰＰＰ装置３へ向けて送信するＬＣＰ設定要求を監視し、ＬＣＰ設定要求パケットを受信すると、パケット中に含まれるＡＣＣＭ値をＡＣＣＭ記憶部１４に保存し、内部フラグをオフにする。内部フラグオフの状態では監視処理は行われない。実施の形態１では、常にＬＣＰ設定要求を監視することで、非同期ＰＰＰ装置２が要求するＡＣＣＭ最新値をＡＣＣＭ記憶部１４へその都度保存していたが、本実施の形態では、双方の合意を待たずとも非同期ＰＰＰ装置２が最初に要求するＡＣＣＭ値を把握できれば十分との判断から、最初に受信するＬＣＰ設定要求のみを監視することで、その後のＬＣＰ設定要求監視処理の負担を不要とする。ＬＣＰ確立後は、実施の形態１と同様に、同期非同期変換器１３において制御コードのエスケープ処理が行われる。
【００３４】
以上の様に本実施の形態では、同期非同期変換器１３は、非同期ＰＰＰ装置２からのＬＣＰ設定要求の監視を最初の受信までのみ行い、ＬＣＰ設定要求に含まれるＡＣＣＭ値をＡＣＣＭ記憶部１４に保存しておき、ＬＣＰ確立後の同期ＰＰＰ装置３からのデータに対してＡＣＣＭ記憶部１４に保存したＡＣＣＭ値を用いて制御コードのエスケープ処理を行うとすることにより、非同期ＰＰＰ装置２と同期ＰＰＰ装置３との間でのデータ通信を可能とする。また、最初に受信するＬＣＰ設定要求のみを監視することで、その後のＬＣＰ設定要求監視処理の負担を不要とする。
【００３５】
（実施の形態６）
本発明の実施の形態６によるデータ通信装置の構成は図１と同様の構成であり、その説明は省略する。本実施の形態では、同期非同期変換器１３は、ＡＣＣＭ監視を行わず、ＬＣＰ確立後は、同期非同期変換器１３において、同期ＰＰＰ装置３から非同期ＰＰＰ装置２へのすべての制御コードのエスケープ処理が行われる。
【００３６】
以上の様に本実施の形態では、同期非同期変換器１３は、ＬＣＰ確立後の同期ＰＰＰ装置３から非同期ＰＰＰ装置２へのすべての制御コードのエスケープ処理を行うことより、簡単な装置構成で、非同期ＰＰＰ装置２と同期ＰＰＰ装置３との間でのデータ通信を可能とする。
【００３８】
請求項１に記載のデータ通信装置によれば、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、同期ＰＰＰ装置からのＬＣＰ設定応答を常に監視し、ＬＣＰ設定応答に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うことにより、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、実際に同期ＰＰＰ装置が合意したＡＣＣＭ値のみを監視すればよいという有利な効果が得られる。
【００３９】
請求項２に記載のデータ通信装置によれば、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、非同期ＰＰＰ装置からのＬＣＰ設定要求をＬＣＰ確立までの期間のみ監視し、ＬＣＰ設定要求に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うことにより、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、またＬＣＰ確立後のＬＣＰ設定要求の監視処理の負担が不要であるという有利な効果が得られる。
【００４０】
請求項３に記載のデータ通信装置によれば、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、同期ＰＰＰ装置からのＬＣＰ設定応答をＬＣＰ確立までの期間のみ監視し、ＬＣＰ設定応答に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うことにより、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、ＬＣＰ確立後のＬＣＰ設定要求の監視処理の負担が不要であるという有利な効果が得られる。
【００４１】
請求項４に記載のデータ通信装置によれば、非同期ＰＰＰデータの送受信処理を行う非同期インタフェース部と、同期ＰＰＰデータの送受信処理を行う同期インタフェース部と、制御コードエスケープに関するＡＣＣＭ値を記憶しておくＡＣＣＭ記憶部と、ＰＰＰ同期非同期変換処理を行う同期非同期変換器とを有し、非同期ＰＰＰ装置と同期ＰＰＰ装置との間で同期非同期変換を行うデータ通信装置であって、同期非同期変換器は、非同期ＰＰＰ装置からのＬＣＰ設定要求の監視を最初の受信までのみ行い、最初に受信したＬＣＰ設定要求に含まれるＡＣＣＭ値をＡＣＣＭ記憶部に保存し、ＬＣＰ確立後の同期ＰＰＰ装置からのデータに対してＡＣＣＭ記憶部に保存したＡＣＣＭ値を用いて制御コードのエスケープ処理を行うことにより、ＬＣＰ確立後の同期ＰＰＰ装置からのデータに対して制御コードのエスケープ処理が行われ、非同期ＰＰＰ装置と同期ＰＰＰ装置との間でのデータ通信が可能になり、また、ＡＣＣＭ記憶部へのＡＣＣＭ保存後のＬＣＰ設定要求の監視処理の負担が不要になるという有利な効果が得られる。
【図面の簡単な説明】
【図１】本発明の実施の形態１によるデータ通信装置を示すブロック図
【符号の説明】
１  データ通信装置
２  非同期ＰＰＰ装置
３  同期ＰＰＰ装置
１１  非同期インタフェース部
１２  同期インタフェース部
１３  同期非同期変換器
１４  ＡＣＣＭ記憶部
【図１】
0004686875.tif 000002